(57)【特許請求の範囲】
【請求項１】
加入者番号として記憶管理している複数の電話番号のうち、その何れかの電話番号を有効な番号として選択して電話発着信を行う携帯端末装置であって、
外部の非接触ＩＣ通信装置との間で非接触ＩＣ通信を行う非接触ＩＣ通信手段と、
前記各電話番号に前記外部の非接触ＩＣ通信装置に関する条件、及び時間に関する条件を対応付けて記憶する条件記憶手段と、
前記非接触ＩＣ通信手段による前記外部の非接触ＩＣ通信装置との非接触ＩＣ通信時に、前記条件記憶手段に記憶されている前記複数の電話番号のうちで、前記外部の非接触ＩＣ通信装置に関する条件が該当し、かつ時間に関する条件にも該当する電話番号が存在するか否かを判別する判別手段と、
この判別手段によって前記外部の非接触ＩＣ通信装置に関する条件が該当し、かつ時間に関する条件にも該当する電話番号が存在すると判別された場合に、該当する電話番号を選択する選択手段と、
を具備したことを特徴とする携帯端末装置。
【請求項２】
前記外部の非接触ＩＣ通信装置に関する条件は、前記外部の非接触ＩＣ通信装置の位置を電話番号の選択位置とするために当該外部の非接触ＩＣ通信装置を特定するために設定された情報であり、
前記判別手段は、前記外部の非接触ＩＣ通信装置との非接触ＩＣ通信時に、この通信に含まれている外部の非接触ＩＣ通信装置情報が前記設定されている外部の非接触ＩＣ通信装置情報と一致するか否かを判別する、
ようにしたことを特徴とする請求項１記載の携帯端末装置。
【請求項３】
前記各電話番号に対応してそれぞれ異なる外部の非接触ＩＣ通信装置情報が条件として設定されている状態において、前記判別手段は、前記外部の非接触ＩＣ通信装置との通信時に、この通信に含まれている外部の非接触ＩＣ通信装置情報が前記設定されている何れかの外部の非接触ＩＣ通信装置情報に一致するか否かを判別し、
前記選択手段は、設定されている何れかの外部の非接触ＩＣ通信装置情報に一致すると判別された際に、当該外部の非接触ＩＣ通信装情報に対応付けられている電話番号を有効な電話番号として選択する、
ようにしたことを特徴とする請求項２記載の携帯端末装置。
【請求項４】
前記外部の非接触ＩＣ通信装置に関する条件は、電話番号の選択位置を示す外部の非接触ＩＣ通信装置情報のほか、前記外部の非接触ＩＣ通信装置を介して入場する場合か当該外部の非接触ＩＣ通信装置を介して退場する場合かを示す入退場種別を含み、
前記判別手段は、前記外部の非接触ＩＣ通信装置との通信時に、前記外部の非接触ＩＣ通信装置情報が一致するか否かを判別するほか、前記通信に含まれている入退場種別と前記条件として設定されている入退場種別とが一致するか否かを判別し、
前記選択手段は、外部の非接触ＩＣ通信装置情報が一致し、かつ、入退場種別が一致すると判別された際に、当該外部の非接触ＩＣ通信装置情報及び入退場種別に対応付けられている電話番号を有効な電話番号として選択する、
ようにしたことを特徴とする請求項２あるいは請求項３記載の携帯端末装置。
【請求項５】
前記時間に関する条件は、前記外部の非接触ＩＣ通信装置を利用する予定時間帯を含み、
前記判別手段は、前記外部の非接触ＩＣ通信装置との通信時に、前記外部の非接触ＩＣ通信装置情報が一致するか否かを判別するほか、前記条件として設定されている予定時間帯と現在日時とを比較することによって当該予定時間帯内での利用か否かを判別し、
前記選択手段は、外部の非接触ＩＣ通信装置情報が一致し、かつ、予定時間帯内での利用と判別された際に、当該外部の非接触ＩＣ通信装置情報及び予定時間帯に対応付けられている電話番号を有効な電話番号として選択する、
ようにしたことを特徴とする請求項２あるいは請求項４記載の携帯端末装置。
【請求項６】
前記外部の非接触ＩＣ通信装置は、駅構内に設置されている改札ゲートであり、この改札ゲートの通過時に電話番号の選択を行うために前記条件として設定されている外部の非接触ＩＣ通信装置情報は、定期乗車券の利用区間を示す一対の駅情報のうち、少なくともその何れかの駅情報である、ことを特徴とする請求項２記載の携帯端末装置。
【請求項７】
前記外部の非接触ＩＣ通信装置に関する条件は、前記外部の非接触ＩＣ通信装置を介しての入場か当該外部の非接触ＩＣ通信装置を介しての退場かを示す入退場種別であり、
前記判別手段は、前記外部の非接触ＩＣ通信装置との通信時に、この通信に含まれている入退場種別が前記条件として設定されている入退場種別に一致するか否かを判別する、
ようにしたことを特徴とする請求項１記載の携帯端末装置。
【請求項８】
前記時間に関する条件は、前記外部の非接触ＩＣ通信装置を利用する予定時間帯であり、
前記判別手段は、前記外部の非接触ＩＣ通信装置との通信時に、前記条件として設定されている予定時間帯と現在日時とを比較することによって当該予定時間帯内での利用か否かを判別する、
ようにしたことを特徴とする請求項１記載の携帯端末装置。
【請求項９】
コンピュータに対して、
加入者番号としての複数の電話番号を記憶管理すると共に、外部の非接触ＩＣ通信装置に関する条件、及び時間に関する条件を対応付けて記憶する機能と、
外部の非接触ＩＣ通信装置との非接触ＩＣ通信時に、前記条件を満たすか否かを判別する機能と、
この条件を満たすと判別された場合に、該当する電話番号を選択して電話発着信を行う機能と、
を実現させるためのプログラム。
【発明の詳細な説明】
【技術分野】
【０００１】
この発明は、加入者番号として複数の電話番号を利用可能な携帯端末装置及びプログラムに関する。
【背景技術】
【０００２】
従来、加入者番号として複数の電話番号を利用可能な携帯端末装置としては、例えば、複数の電話番号を最寄りの基地局に登録しておくことで複数の電話番号での同時待受けを可能とした移動体通信端末が知られている（特許文献１参照）。また、予め着信許可地域を登録しておくことで複数の電話番号をビジネス用とプライベート用に使い分けることが可能な移動体通信システムが知られている（特許文献２参照）。
【特許文献１】特開２００３−１８９３６１号公報
【特許文献２】特開２００３−０１８６５７号公報
【発明の開示】
【発明が解決しようとする課題】
【０００３】
しかしながら、特許文献１の移動体通信端末にあっては、複数の電話番号での同時待受けが可能であっても、電話発信時には複数の電話番号の何れか一つの電話番号を使用して相手先を呼び出すため、予めどの電話番号を使用するかを任意に選択設定しておく必要がある。また、特許文献２の移動体通信システムにあっては、複数の電話番号を使い分けるためにサーバ側で携帯電話の着信抑制を行うものであり、これを携帯電話側で行うものとすると、着信許可地域か否かの判定用として全地球測位システム（ＧＰＳ）機能を装備しておく必要がある。
【０００４】
この発明の課題は、加入者番号として複数の電話番号のうち、その何れかの電話番号に切替て電話発着信を行う携帯端末装置において、非接触ＩＣ通信機能を活用して電話番号の切替をできるようにすることである。
【課題を解決するための手段】
【０００５】
請求項１記載の発明は、加入者番号として記憶管理している複数の電話番号のうち、その何れかの電話番号を有効な番号として選択して電話発着信を行う携帯端末装置であって、
外部の非接触ＩＣ通信装置との間で非接触ＩＣ通信を行う非接触ＩＣ通信手段と、前記各電話番号に前記外部の非接触ＩＣ通信装置に関する条件、及び時間に関する条件を対応付けて記憶する条件記憶手段と、前記非接触ＩＣ通信手段による前記外部の非接触ＩＣ通信装置との非接触ＩＣ通信時に、前記条件記憶手段に記憶されている前記複数の電話番号のうちで、前記外部の非接触ＩＣ通信装置に関する条件が該当し、かつ時間に関する条件にも該当する電話番号が存在するか否かを判別する判別手段と、この判別手段によって前記外部の非接触ＩＣ通信装置に関する条件が該当し、かつ時間に関する条件にも該当する電話番号が存在すると判別された場合に、該当する電話番号を選択する選択手段と、を具備したことを特徴とする。
更に、コンピュータに対して、上述した請求項１記載の発明に示した主要機能を実現させるためのプログラムを提供する（請求項９記載の発明）。
【０００６】
なお、上述した請求項１記載の発明は次のようなものであってもよい。
前記外部の非接触ＩＣ通信装置に関する条件は、前記外部の非接触ＩＣ通信装置の位置を電話番号の選択位置とするために当該外部の非接触ＩＣ通信装置を特定するために設定された情報であり、前記判別手段は、前記外部の非接触ＩＣ通信装置との非接触ＩＣ通信時に、この通信に含まれている外部の非接触ＩＣ通信装置情報が前記設定されている外部の非接触ＩＣ通信装置情報と一致するか否かを判別する（請求項２記載の発明）。
【０００７】
前記各電話番号に対応してそれぞれ異なる外部の非接触ＩＣ通信装置情報が条件として設定されている状態において、前記判別手段は、前記外部の非接触ＩＣ通信装置との通信時に、この通信に含まれている外部の非接触ＩＣ通信装置情報が前記設定されている何れかの外部の非接触ＩＣ通信装置情報に一致するか否かを判別し、前記選択手段は、設定されている何れかの外部の非接触ＩＣ通信装置情報に一致すると判別された際に、当該外部の非接触ＩＣ通信装情報に対応付けられている電話番号を有効な電話番号として選択する（請求項３記載の発明）。
【０００８】
前記外部の非接触ＩＣ通信装置に関する条件は、電話番号の選択位置を示す外部の非接触ＩＣ通信装置情報のほか、前記外部の非接触ＩＣ通信装置を介して入場する場合か当該外部の非接触ＩＣ通信装置を介して退場する場合かを示す入退場種別を含み、前記判別手段は、前記外部の非接触ＩＣ通信装置との通信時に、前記外部の非接触ＩＣ通信装置情報が一致するか否かを判別するほか、前記通信に含まれている入退場種別と前記条件として設定されている入退場種別とが一致するか否かを判別し、前記選択手段は、外部の非接触ＩＣ通信装置情報が一致し、かつ、入退場種別が一致すると判別された際に、当該外部の非接触ＩＣ通信装置情報及び入退場種別に対応付けられている電話番号を有効な電話番号として選択する（請求項４記載の発明）。
【０００９】
前記時間に関する条件は、前記外部の非接触ＩＣ通信装置を利用する予定時間帯を含み、前記判別手段は、前記外部の非接触ＩＣ通信装置との通信時に、前記外部の非接触ＩＣ通信装置情報が一致するか否かを判別するほか、前記条件として設定されている予定時間帯と現在日時とを比較することによって当該予定時間帯内での利用か否かを判別し、前記選択手段は、外部の非接触ＩＣ通信装置情報が一致し、かつ、予定時間帯内での利用と判別された際に、当該外部の非接触ＩＣ通信装置情報及び予定時間帯に対応付けられている電話番号を有効な電話番号として選択する（請求項５記載の発明）。
【００１０】
前記外部の非接触ＩＣ通信装置は、駅構内に設置されている改札ゲートであり、この改札ゲートの通過時に電話番号の選択を行うために前記条件として設定されている外部の非接触ＩＣ通信装置情報は、定期乗車券の利用区間を示す一対の駅情報のうち、少なくともその何れかの駅情報である（請求項６記載の発明）。
【００１１】
前記外部の非接触ＩＣ通信装置に関する条件は、前記外部の非接触ＩＣ通信装置を介しての入場か当該外部の非接触ＩＣ通信装置を介しての退場かを示す入退場種別であり、前記判別手段は、前記外部の非接触ＩＣ通信装置との通信時に、この通信に含まれている入退場種別が前記条件として設定されている入退場種別に一致するか否かを判別する（請求項７記載の発明）。
【００１２】
前記時間に関する条件は、前記外部の非接触ＩＣ通信装置を利用する予定時間帯であり、前記判別手段は、前記外部の非接触ＩＣ通信装置との通信時に、前記条件として設定されている予定時間帯と現在日時とを比較することによって当該予定時間帯内での利用か否かを判別する（請求項８記載の発明）。
【発明の効果】
【００１３】
本願発明によれば、非接触ＩＣ通信機能を活用して電話番号の自動選択が可能となる。したがって、従来のように、予めどの電話番号を使用するかをユーザ操作によって選択設定しておいたり、現在位置に応じて電話番号を切替るためにＧＰＳ機能を装備しておいたりする必要もない。
【発明を実施するための最良の形態】
【００２１】
以下、図１〜図１１を参照して本発明の実施例を説明する。
この実施例は、携帯端末装置として携帯電話装置に適用した場合を例示したもので、図１は、携帯端末装置の基本的な構成要素を示したブロック図である。
この携帯電話装置は、通話機能、電子メール機能、インターネット接続機能などのほか、電子マネー支払い機能、電子乗車券機能などを構成する非接触ＩＣ通信機能、デュアル電話番号機能が備えられている。このデュアル電話番号機能は、加入者番号として記憶管理している複数の電話番号（２つの電話番号）を選択的に切替て使用可能なもので、現在選択された電話番号を有効な番号として切替て電話発着信を行うようにしている。
【００２２】
ＣＰＵ１は、記憶部２内の各種のプログラムに応じてこの携帯電話装置の全体動作を制御する中核的な中央演算処理装置であり、このメインＣＰＵ１のほか、この携帯電話装置には、機能別に複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図９〜図１１に示す動作手順に応じて本実施例を実現するためのプログラムが格納されている。
【００２３】
また、記憶部２のデータ領域には、後述する電話番号テーブル１６、非接触ＩＣ種別テーブル１７、改札ゲート用条件テーブル１８、会社ゲート用条件テーブル１９などが格納されている。記録メディア３は、着脱自在な可搬型メモリで、画像データ、各種のデータ、プログラムなどを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００２４】
電話通信部５は、無線部を構成するアンテナ５Ａに接続された送受信部（ベースバンド部）の受信側から信号を取り込んで受信ベースバンド信号に復調したのちに、音声制御部６を介して音声スピーカ７から音声出力させる。また、電話通信部５は、音声マイク８から入力された音声データを音声制御部６から取り込み、送信ベースバンド信号に符号化したのちに送受信部の送信側に与えられてアンテナ５Ａから発信出力させる。一方、電子メール機能、インターネット接続機能によって電話通信部５を介して受信取得した表示データは、表示制御部９を介してＬＣＤ（液晶表示装置）などを備えたメイン表示部１０に与えられて表示出力される。
【００２５】
メイン表示部１０は、文字情報、画像データ、各種のメッセージなどを高品位に表示し、装置本体の背面側に設けられたサブ表示部１１は、現在日時、簡易なメッセージ、アイコンなどを表示する。キー操作部１２は、ダイヤル入力、文字入力、コマンド入力などを行うもので、ＣＰＵ１は、キー操作部１２からのキー入力信号に応じた処理を実行する。報知部１３は、着信報知などの報知用のスピーカ、ＬＥＤ(発光ダイオード)、振動モータを備え、電話・メール着信時に駆動されて着信報知を行うほか、アラーム報知時にも駆動される。
【００２６】
非接触ＩＣ処理部１４は、電子マネー支払い機能として利用されるほかに、特定施設（交通機関、会社）の入場／退場を検出する電子乗車券機能として、会社の出退社機能として利用可能なもので、ＣＰＵ、メモリ部、コイルアンテナ部を有し、駅構内に設置されている自動改札用のゲート装置（改札ゲート）２１あるいは会社内に設置されている出退社監視用のゲート装置（会社ゲート）２１に設けられている外部端末装置 (ＩＣリーダライタ)２２との間で微弱電波による近距離通信が行われる。なお、非接触ＩＣ処理部１４は、受信電波によって電磁誘導されたコイルアンテナ部での起電力を動作電力として動作するようになっている。
【００２７】
カードＩＦ（インターフェイス）部１５は、２枚のＵＩＭ（User Identity Module）カード２３、２４が着脱可能に装着されるもので、ＵＩＭカード２３、２４に記録されている加入者情報をＣＰＵ１に与える。このＵＩＭカード２３、２４は、基本的にはＳＩＭ（Subscriber Identity Module）カードと同様のＩＣカードであり、加入者情報として加入者登録番号（識別情報）、加入者電話番号、通話料金などが記録されているもので、ＣＰＵ１は、ＵＩＭカード２３、２４に書き込まれている各加入者番号（電話番号）のうち、その何れかの電話番号を有効な番号として選択的に切替て電話発着信を行うようにしている。
【００２８】
図２は、電話番号テーブル１６を説明するための図である。
電話番号テーブル１６は、ＵＩＭカード２３、２４に書き込まれているデュアル電話番号のうち、その何れかの電話番号が有効な番号として現在選択されているかを示すもので、例えば、ＵＩＭカード２３には「電話番号１」、ＵＩＭカード２４には「電話番号２」が書き込まれているものとすると、この「種別Ａ：電話番号１」、「種別Ｂ：電話番号２」に対応付けて「選択フラグ」を記憶する構成となっている。なお、図中、丸印は、「選択フラグ」がオンされている状態であり、現在選択されている有効番号を示している。また、この実施例では「種別Ａ：電話番号１」を“ビジネス用”として、「種別Ｂ：電話番号２」を“プライベート用”として使用するようにしている。
【００２９】
図３は、非接触ＩＣ種別テーブル１７を説明するための図である。
非接触ＩＣ種別テーブル１７は、非接触ＩＣ処理部１４を電子マネー支払い機能として使用するかに、交通機関の入場／退場を検出する電子乗車券機能あるいは会社用の出退社機能として使用するかを決定するためのテーブルであり、「種別１」、「種別２」、「種別３」には、その処理内容として“交通機関用”、“会社用”、“電子マネー用”に対応付けられている。ＣＰＵ１は、ＩＣリーダライタ２２から非接触ＩＣ処理部１４を介して受信した信号に含まれている「処理種別」に基づいて非接触ＩＣ種別テーブル１７を検索することによって種別対応処理として交通機関対応処理／会社ゲート対応処理／電子マネー処理を実行するようにしている。
【００３０】
ここで、「電子マネー処理」は、非接触ＩＣ処理部１４と店舗側のＩＣリーダライタ２２との間でデータ送受信を行うことによって今回の支払い額（請求金額）に応じてマネー残高を更新すると共に、今回の取引情報を利用履歴として追加登録する処理である。また、「交通機関対応処理」は、非接触ＩＣ処理部１４とゲート装置２１側のＩＣリーダライタ２２との間でデータ送受信を行うことによって電子乗車券（定期乗車券）の内容（利用区間情報）を改札ゲートに対して提示する処理である。「会社ゲート対応処理」は、非接触ＩＣ処理部１４と会社用のゲート装置２１側のＩＣリーダライタ２２との間でデータ送受信を行うことによって出勤時刻、退社時刻などを会社ゲートに対して報告する処理である。
【００３１】
図４は、改札ゲートの通過時に電話番号を切替るか否かを決定するための切替条件を記憶する改札ゲート用条件テーブル１８の内容を示した図である。
改札ゲート用条件テーブル１８は、自宅側、会社側に対応して電話番号の切替条件を示す「駅名」、「入退場種別」、「予定時間帯」のほか、これらの条件成立時に切替られる電話番号の「種別」を記憶管理する構成で、ユーザ操作によって任意の内容を設定可能となっている。ＣＰＵ１は、改札ゲートの通過時に改札ゲート側から非接触ＩＣ処理部１４を介して受信した信号に基づいて条件テーブル１８を検索し、この設定条件を満たすか否かを判別し、この判別結果に基づいて電話番号の切替を行うようにしている。なお、この実施例では「駅名」、「入退場種別」、「予定時間帯」のうち、全ての条件を満たすことによって電話番号の切替を行うようにしている。
【００３２】
「駅名」は、定期乗車券の利用区間として設定されている定期設定駅を示し、「入退場種別」は、入場（乗車駅）か退場（下車駅）かを示す。「予定時間帯」は、月曜〜金曜日（平日）の午前７時３０分〜８時００分のように出勤時の利用予定の時間帯を示したり、月曜〜金曜日（平日）の午後５時３０分〜８時３０分のように帰宅時の利用予定の時間帯を示し、例えば、図６に示すように、出勤時において自宅から最寄りの駅の改札ゲートを通過した際にプライベート用の「種別Ｂ：電話番号２」からビジネス用の「種別Ａ：電話番号１」に切替るためには、出勤時の「駅名」として自宅側の駅を設定すると共に、「入退場種別」として“入場”を設定する。また、帰宅時において会社側の駅の改札ゲートを通過した際にビジネス用からプライベート用に切替るためには、「駅名」として、会社側の駅を設定すると共に、「入退場種別」に“入場”を設定する。
【００３３】
また、図７に示すように、出勤時において会社側の駅の改札ゲートを通過した際にプライベート用の「種別Ｂ：電話番号２」からビジネス用の「種別Ａ：電話番号１」に切替るためには、「駅名」として会社側の駅を設定すると共に、「入退場種別」として“退場”を設定する。また、帰宅時において会社側の駅の改札ゲートを通過した際にビジネス用からプライベート用に切替るためには、「駅名」として会社側の駅を設定すると共に、「入退場種別」に“入場”を設定する。なお、帰宅時の切替条件として、会社側の入口改札ゲートの通過時に限らず、自宅側の出口改札ゲートの通過時を帰宅時の切替条件として設定するようにしてもよい。
【００３４】
図５は、会社ゲートの通過時に電話番号を切替るか否かを決定するための切替条件を記憶する会社ゲート用条件テーブル１９の内容を示した図である。
会社ゲート用条件テーブル１９は、電話番号を切替る条件としての「予定時間帯：勤務時間帯」のほか、この勤務時間帯内に利用可能な「電話番号種別」と退社時に元の電話番号に復帰させる「電話番号種別」とを記憶管理するもので、ユーザ操作によって任意の内容を設定可能となっている。この場合、勤務時間帯内に利用可能な「電話番号種別」としては、ビジネス用の「種別Ａ：電話番号１」に設定され、退社時に元の電話番号に復帰させる「電話番号種別」としては、プライベート用の「種別Ｂ：電話番号２」に設定されている。
【００３５】
上述の会社ゲートは、警備室前などに設置されている入退場兼用のゲート装置であり、社員の移動方向に基づいて入場か退場かを検出可能な構成となっている。この会社ゲート通過時にＣＰＵ１は、会社ゲートから発信出力された信号を非接触ＩＣ処理部１４経由で受信し、この受信信号に含まれている“入出区分”に基づいて入場か退場かを判別し、その結果、入場であれば、プライベート用からビジネス用の電話番号に切替、退場であれば、会社ゲート用条件テーブル１９から「予定時間帯：勤務時間帯」を読み出して勤務中か否かを判別し、勤務終了であれば、ビジネス用からプライベート用に切替るようにしている。
【００３６】
「予定時間帯」は、勤務予定時間帯であり、例えば、会社の就業時間として「午前９時００分〜５時３０分」が設定されている。図８は、勤務時間中は会社建物内に居る場合を例示したもので、会社内に居るか（勤務中か）会社外に居るか（勤務終了か）によってビジネス用とプライベート用との切替を行う場合を例示したもので、会社ゲート用条件テーブル１９の内容に基づいて出勤時にはプライベート用の「種別Ｂ：電話番号２」からビジネス用の「種別Ａ：電話番号１」に切替られ、帰宅時にはビジネス用からプライベート用に切替られる。
【００３７】
次にこの実施例における携帯電話装置の動作概念を図９〜図１１に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３８】
図９〜図１１は、電源投入に伴って実行開始される携帯電話装置の全体動作を示したフローチャートである。
先ず、ＣＰＵ１は、ＵＩＭカード２３、２４がカードＩＦ部１５にセットされている状態において、電話番号テーブル１６を参照し、「選択フラグ」は、ビジネス用の「種別Ａ：電話番号１」に対応付けてセットされているか、プライベート用の「種別Ｂ：電話番号２」に対応付けてセットされているかを判別し、有効な番号として現在選択されている電話番号を利用可能な電話番号（アクティブ番号）として設定する（ステップＳ１）。そして、電話通信部５を作動させてアンテナから電波を発信させながら近辺の基地局との間で位置登録応答を行うことによって電波が最も強い基地局の位置を交換機側のデータベースに自己の現在位置として各電話番号毎に登録したのち（ステップＳ２）、この設定電話番号による着信待ち状態あるいは発信待ち状態となる（ステップＳ３）。
【００３９】
いま、設定電話番号を呼び出す着信有りを検出すると（ステップＳ４でＹＥＳ）、ＣＰＵ１は、この着呼に応答して報知部１３を駆動させて着信報知を行ったのち（ステップＳ５）、回線確立などの通話処理を行い(ステップＳ６)、その後の回線遮断に応答してステップＳ３に戻り、待ち受け状態となる。また、通話相手先の電話番号が入力されるなどの発信操作を検出すると（ステップＳ７でＹＥＳ）、ＣＰＵ１は、この発呼に応答して設定電話番号による発信処理を行ったのち（ステップＳ８）、通話処理を行い(ステップＳ６)、その後の回線遮断に応答してステップＳ３に戻り、待ち受け状態となる。
【００４０】
また、待ち受け状態において、何らかの入力操作を検出すると（ステップＳ１６でＹＥＳ）、テーブル設定が指示されたかを調べ（ステップＳ１７）、改札ゲート用条件テーブル１８、会社ゲート用条件テーブル１９などを対象としてそのテーブル設定が指示された際には、この対象テーブルに対して設定処理を行う（ステップＳ１８）。なお、改札ゲート用条件テーブル１８には、任意の「駅名」、「入退場種別」、「予定時間帯」を設定する処理が行われ、会社ゲート用条件テーブル１９には、任意の「予定時間帯」、「電話番号種別」を設定する処理が行われる。なお、テーブル設定が指示でなければ（ステップＳ１７でＮＯ）、その操作対応の処理として、例えば、電話帳作成処理、メール作成処理、インターネット接続処理などが行われる（ステップＳ１９）。
【００４１】
他方、待ち受け状態において、非接触ＩＣ処理部１４の駆動を検出すると（ステップＳ９でＹＥＳ）、つまり、ゲート装置２１側のＩＣリーダライタ２２から発信出力された信号を非接触ＩＣ処理部１４から受信取得すると、この受信信号に含まれている処理種別に基づいて非接触ＩＣ種別テーブル１７を検索し、「種別１」、「種別２」、「種別３」の何れであるかをチェックする（ステップＳ１０〜Ｓ１２）。いま、「種別３」であれば（ステップＳ１２でＹＥＳ）、電子マネー処理を実行し、今回の支払い額（請求金額）に応じてマネー残高を更新すると共に、今回の取引情報を利用履歴として追加登録したのち（ステップＳ１５）、待ち受け状態に戻る（ステップＳ３）。
【００４２】
また、「種別１」であれば（ステップＳ１０でＹＥＳ）、交通機関対応処理を実行して電子乗車券（定期乗車券）の内容（利用区間情報）を改札ゲートに対して提示し（ステップＳ１３）、また、「種別２」であれば（ステップＳ１１でＹＥＳ）、会社ゲート対応処理を実行して出勤時刻、退社時刻などを会社ゲートに対して報告する（ステップＳ１４）。そして、この交通機関対応処理の実行後においては、図１０のフローに移り、改札ゲート用条件テーブル１８の設定内容に応じた電話番号切替処理を実行し、また、会社ゲート対応処理の実行後においては、図１１のフローに移り、会社ゲート用条件テーブル１９の設定内容に応じた電話番号切替処理を実行する。
【００４３】
すなわち、交通機関対応処理の実行後、ＣＰＵ1は、改札ゲートから発信出力された信号に含まれている“利用駅情報”及び“入出区分”を非接触ＩＣ処理部１４から受信すると（ステップＳ２０）、改札ゲート用条件テーブル１８を読み出しアクセスする（ステップＳ２１）。ここで、改札ゲートから発信出力された“利用駅情報”は自己の駅名であり、また、“入出区分”は入口／出口を示す入退場種別であり、ＣＰＵ1は、この“利用駅情報”に基づいて改札ゲート用条件テーブル１８を検索し、何れかの「駅名」に該当するか、つまり、定期利用区間を示す何れかの設定駅を通過したかをチェックし（ステップＳ２２）、定期設定駅でなければ（ステップＳ２２でＮＯ）、図９のステップＳ３に戻り、待ち受け状態となるが、定期設定駅であれば、第1条件が成立したものとしてステップＳ２３に移り、この駅の「入退場種別」を改札ゲート用条件テーブル１８から読み出し、“入出区分”は、「入退場種別」と同じであるかを調べる。
【００４４】
いま、図６に示すような内容が改札ゲート用条件テーブル１８に設定されている場合に、自宅側の駅の出口改札ゲートを通過した際には、“入出区分”と「入退場種別」との不一致が検出されて（ステップＳ２３でＮＯ）、図９のステップＳ３に戻るが、この駅の入口改札ゲートを通過した際には、ステップＳ２３で“入出区分”と「入退場種別」との一致が検出される。この場合、第１及び第２の条件が成立したものとして、次のステップＳ２４に移り、ゲート通過時の現在日時を取得すると共に、改札ゲート用条件テーブル１８から「予定時間帯」を読み出し、この「予定時間帯」内の指定曜日と現在日時内の曜日とを比較することによって同じであるかを判別し（ステップＳ２４）、曜日が同じであれば、現在時刻は予定時間帯内か、つまり、改札ゲートの通過日時は予定時間帯内かをチェックする（ステップＳ２５）。
【００４５】
例えば、出勤時に乗車駅を利用する予定時間帯として「平日の予定出勤時間：午前７時３０分〜８時００分」が設定されている場合に、この駅の入口改札ゲートを日曜日などの休日に通過した場合（ステップＳ２４でＮＯ）あるいは平日であっても午前７時３０分〜８時００分以外の時間帯に通過した場合には（ステップＳ２５でＮＯ）、図９のステップＳ３に戻るが、平日の午前７時３０分〜８時００分に通過した場合には、第１〜第３の条件が成立したものとして、次のステップＳ２６に移り、改札ゲート用条件テーブル１８から対応する「電話番号種別」を読み出し、この種別の電話番号を現在利用可能なアクティブな電話番号として設定する。
【００４６】
したがって、図６の例では、出勤時において自宅側の入口改札ゲートの通過が「予定時間」内である“平日の午前７時３０分〜８時００分”であれば、プライベート用の「種別Ｂ：電話番号２」からビジネス用の「種別Ａ：電話番号１」に切替られる。また、帰宅時において会社側の入口改札ゲートの通過が「予定時間」内である“平日の午後５時３０分〜８時３０分”であれば、ビジネス用からプライベート用の電話番号に切替られる。同様に、図７の例では、出勤時において会社側の出口改札ゲートの通過が「予定時間」内である“午前８時３０分〜９時３０分”であれば、プライベート用からビジネス用の電話番号に切替られる。また、帰宅時において会社側の入口改札ゲートの通過が、「予定時間」内である“平日の午後５時３０分〜８時３０分”であれば、ビジネス用からプライベート用の電話番号に切替られる。
【００４７】
一方、会社ゲート対応処理の実行後、ＣＰＵ１は、会社ゲートから発信出力された信号に含まれている“入出区分”を非接触ＩＣ処理部１４から受信すると（図１１のステップＳ２７）、この“入出区分”に基づいて入場か退場かを判別する（ステップＳ２８）。いま、会社出勤時など“入場”の場合には、会社ゲート用条件テーブル１９から「予定時間帯」に対応して設定されている「電話番号種別」を読み出し（ステップＳ２９）、この「種別」で示される電話番号は、現在利用可能であるアクティブな電話番号として設定されているか否かを判別し（ステップＳ３０）、アクティブ番号として設定されていなければ、電話番号の切替を行って、この「種別」で示される電話番号をアクティブ番号として切替設定する（ステップＳ３１）。これによってプライベート用の「種別Ｂ：電話番号２」からビジネス用の「種別Ａ：電話番号１」に切替られる。なお、入場時にビジネス用の「種別Ａ：電話番号１」がアクティブ番号として設定されている場合（例えば、出勤後の再入場の場合）には、電話番号の切替を行わず、図９のステップＳ３に戻る。
【００４８】
また、退場を検出すると（ステップＳ２８でＮＯ）、会社ゲート用条件テーブル１９から「予定時間帯」を読み出して現在時刻と比較することによって予定時間内かを判別する（ステップＳ３３）。ここで、予定時間内、つまり、勤務時間内での退場であれば、外出と判断して電話番号の切替を行わず、図９のステップＳ３に戻るが、勤務時間外での退場あれば（ステップＳ３３でＮＯ）、退社と判断し、会社ゲート用条件テーブル１９から退社時対応の「電話番号種別」を読み出し（ステップＳ３４）、電話番号の切替を行って、この「種別」で示される電話番号をアクティブ番号として切替設定する（ステップＳ３５）。これによってビジネス用の「種別Ａ：電話番号１」からプライベート用の「種別Ｂ：電話番号２」に切替られる。
【００４９】
以上のように、この実施例においてＣＰＵ１は、加入者番号として複数の電話番号を記憶管理すると共に、改札ゲート用条件テーブル１８、会社ゲート用条件テーブル１９に電話番号の切替条件を記憶管理している状態において、非接触ＩＣ処理部１４と特定施設側のゲート装置２１との間で非接触通信によって当該ゲート装置から発信出力された信号を受信した際に、予め設定されている切替条件を満たしていれば、電話番号の切替を行うようにしたから、非接触ＩＣ通信機能を活用して電話番号の自動切替が可能となる。したがって、従来のように、予めどの電話番号を使用するかをユーザ操作によって選択設定しておいたり、現在位置に応じて電話番号を切替るためにＧＰＳ機能を装備しておく必要もない。
【００５０】
改札ゲート用条件テーブル１８には、改札ゲートの通過時に電話番号の切替を行うために切替条件として「駅名」、「入退場種別」を設定するようにしたから、出勤時においては自宅側の入口改札ゲートの通過時、あるいは会社側の出口改札ゲートの通過時にプライベート用からビジネス用の電話番号に切替ることができる。同様に、帰宅時においては会社側の入口改札ゲートの通過時、あるいは自宅側の出口改札ゲートの通過時にビジネス用からプライベート用の電話番号に切替ることができる。
【００５１】
また、改札ゲート用条件テーブル１８には、電話番号の切替条件として改札ゲートを通過予定の「予定時間帯」を設定するようにしたから、例えば、出勤時の予定時間帯として「平日の午前７時３０分〜８時００分」が設定した場合には、日曜日などの休日あるいは平日であっても午前７時３０分〜８時００分以外の時間帯での通過であれば、電話番号の切替は行わず、プライベート用のままとすることができる。更に、「駅名」、「入退場種別」、「予定時間帯」の３条件を全て満たした際に、電話番号の切替を行うようにしたから、実情に即した確実な切替が可能となる。
【００５２】
一方、会社ゲート用条件テーブル１９には、電話番号の切替条件として勤務時間を「予定時間帯」として設定されている状態において、会社ゲートから発信出力された信号を受信した際に、この受信信号に含まれている“入出区分”に基づいて入場か退場かを判別し、入場であれば、プライベート用からビジネス用の電話番号に切替、退場であれば、会社ゲート用条件テーブル１９から「予定時間帯：勤務時間帯」を読み出して勤務中か否かを判別し、勤務終了であれば、ビジネス用からプライベート用に切替るようにしたから、実情に即した確実な切替が可能となる。
【００５３】
なお、上述した実施例においては、プライベート用、ビジネス用としてＵＩＭカード２３、２４を装置本体に適宜挿入するようにしたが、プライベート用、ビジネス用の電話番号を記憶部２に内部記憶しておいてもよく、また、その一方をＵＩＭカードに記録し、他方を内部記憶するようにしてもよい。また、２つのデュアル電話番号に限らず、３以上の電話番号を選択的に切替るようにしてもよい。
【００５４】
上述した実施例においては、ゲート通過時に条件成立に伴って電話番号を切替るようにしたが、ゲートを通過してから一定時間（例えば、任意に設定した時間）経過後に電話番号の切替を行うようにしてもよい。同様に、上述した実施例においては、ゲート通過時に切替条件の成立有無を判別するようにしたが、ゲートからの受信内容を一時保持しておけば、ゲートを通過してから一定時間経過後にその判別を行うようにしてもよい。
その他、上述した実施例においては、携帯電話装置に限らず、例えば、電話機能付きのＰＤＡ・電子カメラ・電子腕時計・音楽再生機などの携帯機器であっても同様に適用可能である。
【図面の簡単な説明】
【００５５】
【図１】携帯電話装置の基本的な構成要素を示したブロック図。
【図２】電話番号テーブル１６を説明するための図。
【図３】非接触ＩＣ種別テーブル１７を説明するための図。
【図４】改札ゲートの通過時に電話番号を切替るか否かを決定するための切替条件を記憶する改札ゲート用条件テーブル１８の内容を示した図。
【図５】会社ゲートの通過時に電話番号を切替るか否かを決定するための切替条件を記憶する会社ゲート用条件テーブル１９の内容を示した図。
【図６】交通機関利用の場合における改札ゲート用条件テーブル１８の設定例を説明するための図。
【図７】交通機関利用の場合における改札ゲート用条件テーブル１８の他の設定例を説明するための図。
【図８】会社ゲート用条件テーブル１９の設定例を説明するための図。
【図９】電源投入に伴って実行開始される携帯電話装置の全体動作を示したフローチャート。
【図１０】図９に続く、フローチャート。
【図１１】図９に続く、フローチャート。
【符号の説明】
【００５６】
１  ＣＰＵ
２  記憶部
５  電話通信部
１０  メイン表示部
１２  キー操作部
１４  非接触ＩＣ処理部
２１  ゲート装置
２２  ＩＣリーダライタ
１５  カードＩＦ部
１６  電話番号テーブル
１７  非接触ＩＣ種別テーブル
１８  改札ゲート用条件テーブル
１９  会社ゲート用条件テーブル
２３、２４  ＵＩＭカード
【図１】
0004462201.tif 000002
【図２】
0004462201.tif 000003
【図３】
0004462201.tif 000004
【図４】
0004462201.tif 000005
【図５】
0004462201.tif 000006
【図６】
0004462201.tif 000007
【図７】
0004462201.tif 000008
【図８】
0004462201.tif 000009
【図９】
0004462201.tif 000010
【図１０】
0004462201.tif 000011
【図１１】
0004462201.tif 000012